(57)【要約】      （修正有）【課題】ブリスターケースの金型の作成に大きなコストが掛かる問題や、台紙の外形デザインがブリスターケースにより制限されて自由な形状にすることが出来ない問題や、ブリスターケースでは商品をセットしたり取り出したりすることが難しい問題を解決する。【解決手段】合成樹脂製の透明な板状体を折ったり曲げたりしてキャラメル箱型透明包装容器１を成形し、これを付するための台板２に組み合わせて成る。また、合成樹脂製の透明な板状体を折ってキャラメル箱型透明包装容器を成形し、この前面に隣り合う上面または下面を、その奥行き寸法が前面に隣り合う側面の奥行き寸法よりも大きく且つ前記透明包装容器の中に押し込み可能となるように設けて成る。【選択図】図１
2015127234.tif 000002
【特許請求の範囲】
【請求項１】
合成樹脂製の透明な板状体を折ったり曲げたりして形成して成るキャラメル箱と、このキャラメル箱を付するための任意形状の台板と、の組み合わせに成るキャラメル箱型透明包装容器。
【請求項２】
前記キャラメル箱の前面を含んで隣り合う２面の境部分が、折り線ではなく曲面で構成されている、請求項１に記載のキャラメル箱型透明包装容器。
【請求項３】
前記キャラメル箱の前面を含んで隣り合う３面の前記前面に対する境部分が、折り線ではなく曲面で構成されている、請求項１に記載のキャラメル箱型透明包装容器。
【請求項４】
前記２面の内、前面ではない方の面が前記キャラメル箱の、上面、下面、右側面、左側面の内から選ばれる１面であり、この１面に形成されたフラップ片に、前記キャラメル箱の背面に掛止するための掛止具が設けられている、請求項２に記載のキャラメル箱型透明包装容器。
【請求項５】
前記キャラメル箱は前記台板に接着されるも、前記フラップ片は前記台板に接着されないように構成されている、請求項４に記載のキャラメル箱型透明包装容器。
【請求項６】
前記台板が合成樹脂製の板状体または紙製の板状体である、請求項１に記載のキャラメル箱型透明包装容器。
【請求項７】
前記キャラメル箱の前記台板に付する側に、または前記台板の前記キャラメル箱に付する側に、接着材の層を有する、請求項１に記載のキャラメル箱型透明包装容器。
【請求項８】
前記接着材が粘着材であって、更にその粘着材の層の表面が剥離紙で保護されている、請求項７に記載のキャラメル箱型透明包装容器。
【請求項９】
前記キャラメル箱の下面に、このキャラメル箱を立てるための足部が形成されている、請求項１に記載のキャラメル箱型透明包装容器。
【請求項１０】
合成樹脂製の透明な板状体を折ってキャラメル箱が形成されるが、このキャラメル箱の前面に隣り合う上面または下面の奥行き寸法が、前記前面に隣り合う側面の奥行き寸法よりも大きく且つ前記キャラメル箱の中に押し込み可能に設けられている、キャラメル箱型透明包装容器。
【請求項１１】
前記キャラメル箱の前記上面または前記下面が押し込まれて、その先端部が位置する辺りの面に、前記キャラメル箱の中に指を差し入れて、押し込まれている状態の前記上面または下面をキャラメル箱の外に押し出すようにするための、指孔またはこの指孔を作るためのミシン目が設けられている、請求項１０に記載のキャラメル箱型透明包装容器。
【請求項１２】
前記キャラメル箱とこのキャラメル箱を付するための任意形状の台板との組み合わせに成る、請求項１０に記載のキャラメル箱型透明包装容器。
【発明の詳細な説明】
【技術分野】
【０００１】  この発明は、菓子雑貨等の物品を内部に納めるための包装容器に係り、特に従来のブリスターパックに代わり得る、製造コストの安価なキャラメル箱型透明包装容器に関するものである。
【背景技術】
【０００２】  従来より菓子や化粧品や雑貨などの物品の収容ケースをとしてブリスターパックが多く用いられて来た。一般的なものとして合成樹脂成型に成る透明なブリスターケース部と、このブリスターケース部の背後にあってブリスターケース部の折り返し縁部に抱持される台紙との組み合わせに成るものを上げる。【０００３】  ブリスターパックの最近の技術として特開２０１１−１３６７６７号の発明を上げる。これより以前では、陳列時や取り扱い時に台紙が開放スライドするのを防ぐために、ブリスターケースと台紙とを粘着テープで止めたりステープラーで綴じたりしていたが、収納対象を取り出すには粘着テープやステープラーの針を取り外す必要があった。その煩わしい手間を省くべく特開２０１１−１３６７６７号の発明では、ブリスターケースの左右両側縁および下側縁のそれぞれに、台紙の周縁を受け止める受け壁が設けられており、左右両側の受け壁の対向縁に、掛止舌片が張り出されているものとした。こうしてブリスターケースの背面に台紙を差し込み装填して、台紙の左右側縁および下縁を前記受け壁で受け止めた状態において、掛止舌片を台紙に形成した掛止穴に差し込み係合することにより、台紙の移動を掛止舌片で規制することが出来るようになった。【０００４】  また特開平１１−２９１３７号の透明包装容器の発明を上げる。これより以前ではブリスター本体部の折曲代は周縁部との境界部をニクロム線ヒーターで加熱軟化させると共に該軟化した部分で折り曲げて形成するという簡便な加工技術によって形成していたため、十分に折り曲げることが出来ずそのためにどうしても浮き気味になるが、そうなると台紙が外れやすく成り包装の信頼性が損なわれるという問題があった。この問題を解決すべく特開平１１−２９１３７号の発明は、台紙の周縁部に切り込みを設けて係合片を形成し、ブリスター本体部の折曲代の一部を上記切り込みから係合片の内側に挿入して台紙の周縁部の本体部側に位置させることにより、台紙を外れにくくすることが出来るようになっている。
【先行技術文献】
【特許文献】
【０００５】
【特許文献１】特開２０１１−１３６７６７号公報
【特許文献２】特開平１１−２９１３７号公報
【発明の概要】
【発明が解決しようとする課題】
【０００６】  当発明者は上掲の先行技術２点を含む従来のブリスターパック全般に、次のような問題点があることを見出した。すなわちブリスターパックを構成するブリスターケースと台紙との内、ブリスターケースは、その内に収納される商品が外部から見えるようにすべく、ポリスチレンやポリエチレンテレフタレートなどの透明材料を用いて金型により成型されている。【０００７】  しかしながらブリスターケースの金型の作成には例えは３０万円〜５０万円と言うように非常に高額な費用が掛かるため、大量の生産個数が見込めるのであれば良いが、そうでない場合にはコストが高くなり過ぎてしまう問題がある。またブリスター本体部の折曲代に付いて、周縁部との境界部をニクロム線ヒーターで加熱軟化させ、この軟化した部分で折り曲げて形成するようにすると、この加工自体にコストが掛かってくる。【０００８】  またブリスターパックでは、商品をセットしたり取り出したりする時に台紙を開放スライドさせる方式であるため、台紙はブリスターケース部の背後にあってブリスターケース部の折り返し縁部に抱持されるように構成されていなくてはならない。すなわち台紙の両縁部はブリスターケース部の折り返し縁部と同様に、左右が平行のほぼ直線状態でなくてはならない。従って台紙の外形デザインも自ずと制限されて自由な形状にすることは出来ないのである。【０００９】  一方、見た目の良いブリスターパックではあるが、商品をセットしたり取り出したりする際に台紙を開放スライドさせる必要があり、ブリスターケースと台紙とを粘着テープで止めたりステープラーで綴じたりする必要があり、また上述した特開２０１１−１３６７６７号や特開平１１−２９１３７号の発明のような工夫が必要であった。慣れてしまえば何でもないようではあるが、実のところ商品をセットしたり取り出したりするのは難しいことであった。【００１０】  そこでこの発明は、（１）ブリスターケースの金型の作成に大きなコストが掛かる問題や、（２）台紙の外形デザインがブリスターケースにより制限されて自由な形状にすることが出来ない問題や、（３）ブリスターケースでは商品をセットしたり取り出したりするこをが難しい問題の、少なくとも何れか一の問題を解決することを課題とする。
【課題を解決するための手段】
【００１１】  この問題の解決に当たり当発明者は、ブリスターケースであるとコスト的に高い金型が必須であることから、ブリスターパックではない商品包装形態を模索することにした。【００１２】  すなわち上記課題は、請求項１の発明によれば、合成樹脂製の透明な板状体を折ったり曲げたりして形成して成るキャラメル箱と、このキャラメル箱を付するための任意形状の台板と、の組み合わせに成るキャラメル箱型透明包装容器とすることにより達成される。【００１３】  いわゆるキャラメル箱は、合成樹脂製の板状体や厚紙を、前面と背面、両側面、上面と下面、の６面およびのりしろ片や蓋部となる面に延設されたフラップ片とから成る各面を展開した状態のものとして抜き型で抜き取り、各面の境部分となる折り線で折ったり境部分で曲げたりした後、のりしろ片にて接着して箱に成形したものである。この発明ではこのようなキャラメル箱を合成樹脂製の特に透明な板状体を折ったり曲げたりして形成し、これに台板を組合わせて成るキャラメル箱型透明包装容器を構成したものである。これは従来のブリスターパックと似ているようでいてその実、大きく異なる商品包装容器であると言うことが出来る。なおこのキャラメル箱型透明包装容器に収める商品が小さくて容器内に隙間が空くようであれば、容器内にスペーサを入れるなどの工夫が可能である。あるいは容器内に商品固定用台紙を入れるようにしても良い。【００１４】  台板とキャラメル箱とは別体のままセットとして提供することが出来るが、通常は両者は接着して提供されるであろう。自然乾燥で接着する接着剤を用いる他、両面粘着テープを使用したり、熱溶着する接着材料を用いることも可能であり、両者の接着は任意な設計事項である。なおキャラメル箱の蓋部は、このキャラメル箱が台板に接着している状態では開かず、台板から剥がすと開くようにしたり、逆に台板に接着している状態でも開けることが出来るように構成することが可能である。なお、特開２０１１−１３６７６７号の発明ではブリスターケースと台紙とを粘着テープで止めたりステープラーで綴じたりすると、収納対象を取り出すのに粘着テープやステープラーの針を取り外す必要があり煩わしかったとしているが、この発明ではキャラメル箱と台板とを一体化するのにこのような点を問題視してはいない。【００１５】  キャラメル箱は透明であるから、その内部に収められている商品を外から透かして見ることが出来る。従って従来のブリスターパックと同じような商品陳列が可能であるから、店舗側では陳列に際して特別な改変は不要である。また客にとっても従来通りである。【００１６】  この発明のキャラメル箱型透明包装容器によれば、透明なキャラメル箱は抜き型によって製造することが出来る。この抜き型の作成には数万円もあれば済む上に、小ロットでの製造が可能であるから、その製造コストは従来のブリスターパックに比して大幅に小さいものとなっている。大ロットでの製造を行えばさらにコストを抑えることが可能である。このようにして上記（１）の問題が首尾良く解決された。【００１７】  次に、前記キャラメル箱の前面を含んで隣り合う２面の境部分が、折り線ではなく曲面で構成されているキャラメル箱型透明包装容器とする���とが出来る。【００１８】  従来のブリスターパックと異なる点は、この発明の透明なキャラメル箱がその構成中に折り線を含んでいることである。そこでこの折り線部分を少しでも無くしたいと言うのであれば、キャラメル箱の前面を含んで隣り合う２面の境部分を折り線で構成せずに曲面にすれば良い。この曲面の部分を含めて前面と隣り合う面（例えば上面）とからは、内部に収められた商品が折り線を見ることなく透かして見ることが出来るようになる。【００１９】  このような工夫は３面に付いても実施可能である。すなわち前記キャラメル箱の前面を含んで隣り合う３面の前記前面に対する境部分が、折り線ではなく曲面で構成されているキャラメル箱型透明包装容器とするのである。【００２０】  曲面部分が多ければ多いほど良いとするのであればこのような構成もまた有効である。３面の一例として、キャラメル箱の前面とこれに連続する上面と下面とを上げる。あるいは前面とこれに連続する左右の面や、前面とこれに連続する上面および右側面を上げる。【００２１】  この他、キャラメル箱の前面とこれに連続する上面および下面並びに左右両側面を曲面とする構成が可能である。これ等の構成もまたこの発明の権利範囲内にある。なおキャラメル箱に隙間が出来ても構わない場合はある。あるいはもっと積極的に台板側の面を接着に支障が出ない程度に開口する設計も可能である。【００２２】  次に、請求項２のキャラメル箱型透明包装容器に関して、前記２面の内、前面ではない方の面が前記キャラメル箱の、上面、下面、右側面、左側面の内から選ばれる１面であって、この１面に形成されたフラップ片に、前記キャラメル箱の背面に掛止するための掛止具が設けられているものとすることが出来る。【００２３】  キャラメル箱の蓋部となる面には通常フラップ片が設けられる。このフラップ片はキャラメル箱の中に差し入れられるものであり、常のごとく不本意には外れないようにすることが出来る。しかしながらフラップ片を背面に掛止するための掛止具を設けるような構成もまた可能である。例えばフラップ片側に鈎部を設けておき、この鈎部を掛止するためのスリット部をキャラメル箱の背面に設けるのである。【００２４】  なお、前記キャラメル箱は前記台板に接着されるも、前記フラップ片は前記台板に接着されないように構成することが出来る。掛止具の部分が、台板にキャラメル箱を接着した時に、接着部に掛かるように構成した場合には、キャラメル箱を台板から剥ぎ取らないと蓋部を開けることは難しいのであるが、掛止具の部分が接着部に掛からないように構成すれば、台板をキャラメル箱に付けたままでも蓋部を開けることが可能となる。【００２５】  次に、前記台板が合成樹脂製の板状体または紙製の板状体であるキャラメル箱型透明包装容器とすることが出来る。【００２６】  台板の素材選択は任意であるが、厚紙やダンボール紙などの紙製の板状体の他に、合成樹脂製の板や波板などの板状体を用いることが可能である。合成樹脂製のものでは透明な素材を使用することが可能である。またキャラメル箱を支えることが台板に求められている場合に、台板にキャラメル箱を嵌めて止めるための孔部を開孔したものを用いることが可能である。【００２７】  な��、従来のブリスターパックでは、商品をセットしたり取り出したりする時に台紙を開放スライドさせる方式のため、台紙はブリスターケース部の背後にあって、ブリスターケース部の折り返し縁部に抱持されるように構成されていなくてはならず、従って台紙の外形デザインも自ずと制限されて自由な形状にすることは出来なかったが、この発明では台板のデザインは全く自由である。この点で上記（２）の問題点が解決されていると言うことが出来る。【００２８】  次に、前記キャラメル箱の前記台板に付する側に、または前記台板の前記キャラメル箱に付する側に、接着材の層を有するキャラメル箱型透明包装容器とすることが出来る。【００２９】  この発明は基本的には合成樹脂製の透明な板状体を折ったり曲げたりして形成して成るキャラメル箱と、このキャラメル箱を付するための任意形状の台板との組み合わせに成るものであるが、両者を一体にするには接着材を用いることが好適である。【００３０】  またこの接着材が粘着材であって、さらにその粘着材の層の表面が剥離紙で保護されているものとしても良い。またこの粘着材が両面粘着テープであって、この両面が剥離紙で保護されているものとしても良い。【００３１】  キャラメル箱を台板に接着するに当たっては、キャラメル箱の側または台板の側に設けられた粘着材を以て行うが、この際に剥離紙を剥離して粘着材の層の表面を露出させるようにする。なおキャラメル箱の側または台板の側に粘着材を設けるのに、両面粘着テープであればその片側の剥離紙を剥離して用いることが出来るため、作業が簡単で楽である。【００３２】  次に、前記キャラメル箱の下面に、このキャラメル箱を立てるための足部が形成されているキャラメル箱型透明包装容器とすることが出来る。この足部は台紙の下縁部とキャラメル箱の底面との間のスペースにある。【００３３】  台紙の下縁部は他の足部として作用する。従って台紙の下縁部と足部とでキャラメル箱を自立させることが出来る。たとえ台紙の下縁部とキャラメル箱の下面とが面一であるとしても、キャラメル箱の前側の下面を幾分浮かせることでキャラメル箱の立ち姿勢が安定すると言うことはままある。【００３４】  さて上記課題は、請求項１０の発明によれば、合成樹脂製の透明な板状体を折ってキャラメル箱が形成されるが、該キャラメル箱の前面に隣り合う上面または下面の奥行き寸法が、前記前面に隣り合う側面の奥行き寸法よりも大きく且つ前記キャラメル箱の中に押し込み可能に設けられているキャラメル箱型透明包装容器とすることによって達成される。この上面や下面は前面、背面、左右２つの側面、の何れかと折り線で繋がっている。【００３５】  一般的なキャラメル箱では、上面または下面の奥行き寸法が前記前面に隣り合う側面の奥行き寸法と同じになるように設計される。従って上面や下面は蓋として閉じた時に前面に対してほぼ直角になる。これに対してこのキャラメル箱型透明包装容器では上面や下面は蓋として閉じた時に前面や背面に対して直角になることはなく、キャラメル箱の中の方に向かって斜めの状態になることが分かる。キャラメル箱の中に押し込む際に多少の抵抗があるのは、上面や下面の奥行き寸法が側面の奥行き寸法よりも大きいからである。���た蓋をする前に内部に商品を納めるわけであるが、商品側からすると蓋がされた後は、上面や下面がキャラメル箱の中の方に向かって斜めの状態であることから、不本意に蓋が開くようなことは起こりにくい。なお合成樹脂製の透明な板状体には塩化ビニール樹脂に成るものが腰があって好適である。また上記では上面や下面は前面、背面、左右２つの側面、の何れかと折り線で繋がっているものとしたが、内方に曲がり癖を付けた曲面で繋がっているものとして設計することもまた可能である。【００３６】  次に、前記キャラメル箱の前記上面または下面が押し込まれて、その先端部が位置する辺りの面に、前記キャラメル箱の中に指を差し入れて、押し込まれている状態の前記上面または下面をキャラメル箱の外に押し出すようにするための、指孔またはこの指孔を作るためのミシン目が設けられている、キャラメル箱型透明包装容器とすることが出来る。【００３７】  上述のように上面または下面はキャラメル箱の中に押し込まれて、この中の方に向かって斜めの状態にあることから、蓋を開けにくいと感じるのであれば、指孔またはこの指孔を作るためのミシン目を設けておくと良い。ミシン目を押し込むことで指孔が開くが、この指孔から指をキャラメル箱の中に差し込めば、斜めの状態の上面や下面に触れることが出来るため、これを外方向に押し出して蓋を開けることが容易である。【００３８】  次に、前記キャラメル箱とこのキャラメル箱を付するための任意形状の台板と、の組み合わせに成るキャラメル箱型透明包装容器とすることが出来る。【００３９】  請求項１０の発明によれば、このキャラメル箱には簡単に蓋が出来る効果があり、上記（３）の問題を解決し得るものであり、このキャラメル箱はこれ単体で産業上の利用価値を有するものであるが、台板と組合わせることもまた可能である。この展示形態は請求項１の発明に類似するものである。
【発明の効果】
【００４０】  この発明のキャラメル箱型透明包装容器は、合成樹脂製の透明な板状体を折ったり曲げたりして形成して成るキャラメル箱と、このキャラメル箱を付するための任意形状の台板と、の組み合わせに成るものである。これにより（１）ブリスターケースの金型の作成に大きなコストが掛かる問題、または（２）台紙の外形デザインがブリスターケースにより制限されて自由な形状にすることが出来ない問題、が解決されている。【００４１】  またはこの発明のキャラメル箱型透明包装容器は、合成樹脂製の透明な板状体を折ってキャラメル箱が形成されるが、このキャラメル箱の前面に隣り合う上面または下面の奥行き寸法を、前記前面に隣り合う側面の奥行き寸法よりも大きく且つ前記キャラメル箱の中に押し込み可能に設けて成るものである。これによって（３）ブリスターケースでは商品をセットしたり取り出したりすることが難しいと言う問題が解決されている。
【図面の簡単な説明】
【００４２】
【図１】  実施例１を組み立てた状態を表す説明図である。
【図２】  抜き型で抜いた透明包装容器１を展開状態で表す説明図である。
【図３】  実施例２の透明包装容器４を背面視した説明図である。
【図４】  台紙２に付ける組み立て説明図である。
【図５】  実施例３の透明包装容器４’を背面視した説明図である。
【図６】  台紙２に付ける組み立て説明図である。
【図７】  実施例４の説明図である。
【図８】  実施例５の説明図である。
【図９】  実施例６の説明図である。
【図１０】  実施例７を斜視状態で表す説明図である。
【図１１】  抜き型で抜いた透明包装容器５を展開状態で表す説明図である。
【図１２】  実施例８を表す説明図である。
【図１３】  実施例９の透明包装容器５’の説明図である。
【図１４】  抜き型で抜いた透明包装容器５’を展開状態で表す説明図である。
【発明を実施するための形態】
【００４３】  以下９つの実施例を図面に基づいて説明するが、この発明はこれ等の実施例にのみ限定されるものではない。
【実施例１】
【００４４】  図１および図２でこの実施例の透明包装容器１を表す。ポリスチレン樹脂の薄板を抜き型によって抜き出すと、図２のような組み立て前の透明包装容器１が得られる。これを山折り線で折り返し、のりしろ片１４を背面１１の側縁部に両面粘着テープ３０により接着すると、図１のようなキャラメル箱型の透明包装容器１となる。この透明包装容器１はその背面１１を台紙２に接着剤３の層を介して接着される。台紙２の側縁部２０は直線状に切断されている。【００４５】  この透明包装容器１は上面１５および下面１６が開閉自在であるため、ここから容器の中に商品を納めることが出来る。蓋を閉めるには上面１５であればフラップ１７を背面１１の内側に沿わせるようにして容器内に差し込むようにする。下面１６であればフラップ１８を容器内に差し込む。商品は透明包装容器１の中にあって外から透視することが出来る。なおこの透明包装容器１に美しい印刷を施すことが可能である。【００４６】  透明包装容器１は抜き型によって抜き出し、その後に山折り線で折り返してキャラメル箱型に組み立てられる。この抜き型の作成には数万円もあれば済む上に小ロットでの製造が可能であるから、透明包装容器１の製造は安価に行い得る。
【実施例２】
【００４７】  図３および図４でこの実施例の透明包装容器４を表す。上述のように透明包装容器１は山折り線で折り返してキャラメル箱型に組み立てられる。すると折り返し線が商品の前を走るので、これを良しとしない場合ではこの実施例２の工夫を導入すると良い。【００４８】  すなわちポリスチレン樹脂の薄板を抜き型によって抜き出して、背面視で図３のような透明包装容器４を組み立てる。この際に最小限の変更で最大限の効果を上げるべく、透明包装容器１にはあった前面と上面との境の折り返し線Ｌが、透明包装容器４では出ないようにするのである。このために前面４０から続く上面４２との境は折り線ではなく曲面で構成する。また同様に側面４６の上面部は図４で表されるような弧状に抜き出されているのである。なお上面４２とフラップ４３との間は折り線で折り、蓋を閉じる場合にはこのフラップ４３を背面４１の外側に沿わせるようにする。下面４４も同様にフラップ４５を背面４１の外側に沿わせるようにする。後述するようにフラップ４３もフラップ４５も、両面粘着テープ３１を以て背面４１が台紙２に貼り付けられる際に、両面粘着テープ３１によって粘着させられてしまうため、次に開封するには台紙２から剥離しなくてはならない。【００４９】  ところで上記フラップ４３には掛止片４７が設けられており、蓋（上面４２）が閉じられてフラップ４３が背面４１の外側にある時にここに設けられた掛止スリット４８に掛止し得るように構成されている。こうして最も効果的な場所である、前面４０から続く上面４２との境が曲面を構成し、ここを透して透明包装容器４の中に収めた商品を見ることが出来るのである。
【実施例３】
【００５０】  図５および図６でこの実施例の透明包装容器４’を表す。上述の実施例２では前面４０から続く上面４２との境を曲面としたが、この実施例３ではさらに前面４０から続く下面４９との境をも曲面としている。「前面を含んで隣り合う３面」とはこの実施例では前面４０と上面４２と下面４９とのことである。【００５１】  これ以外にも上述の実施例２と異なる点がある。それは蓋を閉じる場合にフラップ４３を背面４１の外側に沿わせるようにすると共に、フラップ４３の掛止片４７を背面４１の掛止スリット４８に掛止するが、この後に両面粘着テープ３１を以て背面４１が台紙２に貼り付けられる際に、上記掛止片４７や掛止めスリット４８には掛からず、対して下面４９のフラップ４００には掛かるように、位置を勘案して両面粘着テープ３２が設けられていることである。【００５２】  従って透明包装容器４’を台紙２から剥がすことなく、掛止止４７を掛止スリット４８から外して蓋（上面４２）を開け、透明包装容器４’の中に収められている商品を取り出すことが出来るのである。なお下面４９のフラップ４００は、両面粘着テープ３２を以て台紙２に接着されているために、こちら側から開封することは出来ない。
【実施例４】
【００５３】  図７の透明包装容器４’は台紙２１に接着されている。この台紙２１の形状に注意すると、側縁部２２は、実施例１の側縁部２０が直線状に切断されていたのに対して実に曲線状を呈しているのである。このような自由さは従来のブリスターパックでは備えることが出来なかったものである。【００５４】  このように台紙２１の形状は全く自由にデザインして良いものであり、また自由にデザインすることが出来るものであることを示した。
【実施例５】
【００５５】  図８の透明包装容器１は台紙２３に填め込まれている。すなわち台紙２３の中央部には透明包装容器１の外周形状の填め込み孔２４が開孔されている。填め込み孔２４の一部は支持片２５となるように切り残されている。【００５６】  従って支持片２５を９０度起こすと、台紙２３に填め込まれた透明包装容器１の支えとなるのである。而してこのような台紙２３への取り付け方は従来のブリスターパックでは実現することが出来なかったものである。
【実施例６】
【００５７】  透明包装容器４の下面４４には、直角に引き起こすと足部４０１となる切れ込みが左右１対で設けられている（図示せず）。この足部４０１と台紙２６の下縁部とで、透明包装容器４を比較的安定して自立させることが出来る。
【実施例７】
【００５８】  図１０および図１１でこの実施例の透明包装容器５を表す。塩化ビニール樹脂の薄板を図示しない抜き型によって抜き出し、山折り線で折り返し、のりしろ片５４を背面５１の側縁部に両面粘着テープ３０により接着すると、図１０のような略キャラメル箱型の透明包装容器５となる。符号５２はのりしろ片５４がある側面を指し、符号５３は前面５０と背面５１との間の側面を指す。【００５９】  この透明包装容器５では前面５０から続く上面５５および下面５６が開閉自在である。ここからは透明包装容器５の中に商品を納めることが出来る。蓋を閉めるには上面５５であればこれを背面５１の内側に沿わせるようにして容器内に押し込むようにする。あるいは下面５６であればこれを背面５１の内側に沿わせるようにして容器内に押し込むようにする。この何れの場合でも上面５５や下面５６が背面５１を突っ張る際にきつくなるが、これを過ぎると図１０で表した状態になる。すると今度は上面５５や下面５６が不本意には開かなくなるのである。【００６０】  側面５２の奥行き寸法と側面５３の奥行き寸法とは同一である。しかしながら上面５５や下面５６の奥行き寸法は、側面５２や側面５３の奥行き寸法よりも大きく取ってある。図１１で上面５５や下面５６に引いた２点鎖線の位置が側面５２や側面５３の奥行き寸法と同じになる位置を表していることからも了解される。【００６１】  このようにして透明包装容器５の中に収められた商品は、外から自由に透視することが出来る。【００６２】  透明包装容器５は抜き型により抜き出し、その後に山折り線で折り返して略キャラメル箱型に組み立てられる。この抜き型の作成には数万円もあれば済む上に小ロットでの製造が可能であるから、透明包装容器５の製造は安価に行い得る。特筆すべきは透明包装容器５では商品をセットしたり取り出したりすることが実に容易であると言うことである。
【実施例８】
【００６３】  図１２の透明包装容器５は台紙６に背面５１側で接着されている。符号６１は陳列時に使用する吊り下げ孔である。台紙６の側縁部６０は、実施例１の側縁部２０が一直線状に切断されていたのに対して段々状を呈している。【００６４】  このような台紙６のデザイン上の自由さは、従来のブリスターパックでは備えることが出来なかったものである。このように台紙６の形状は全く自由にデザインして良いものであり、また自由にデザインすることが出来るものである。
【実施例９】
【００６５】  図１３および図１４でこの実施例の透明包装容器５’を表す。上述したように透明包装容器５は山折り線で折り返されてキャラメル箱型に組み立てられる。すると折り返し線が商品の前を走るので、これを良しとしない場合ではこの実施例９の曲面Ｃの工夫を導入すると良い。【００６６】  すなわち塩化ビニール樹脂の薄板を抜き型によって抜き出して、側面視で図１３のような透明包装容器５’を組み立てる。この際に最小限の変更で最大限の効果を上げるべく、上述の透明包装容器５にはあった前面と上面との境の折り返し線Ｌが、透明包装容器５’では出ないようにするのである。このために前面５０から続く上面５９に付いて前面５０と上面５９との境に折り線を作らなくても済むように予め曲面Ｃの癖を付けるようにして構成するのである。同様に前面５０から続く下面５００との境にも予め曲面Ｃの癖を付けている。【００６７】  この透明包装容器５’の上面５９と下面５００とは開閉自在であり、ここから透明包装容器５’の中に商品を納めることが出来る。この蓋を閉めるには上面５９であればこれを背面５１の内側に沿わせるようにして容器内に押し込むようにする。あるいは下面５００であればこれを背面５１の内側に沿わせるようにして容器内に押し込むようにする。この何れの場合でも、上記曲面Ｃが付けられてはいても、上面５９や下面５００が背面５１を突っ張る際にきつくなるが、これを過ぎると図１３で表したように容器内に納まった状態になる。逆に不本意には上面５９や下面５００が容器の外へ出てしまうことは、すなわち蓋が開いてしまうことは、起こりにくい。何れにせよ商品をこの容器内にセットするための工程が極めて少なくて済む点が特長である。【００６８】  なお図１４で示すように、上面５９や下面５００が押し込まれて、その先端部が位置する辺りの背面５１に、透明包装容器５’の中に指を差し入れて、押し込まれている状態の上面５９や下面５００を透明包装容器５’の外に押し出すようにするための、指孔を作るためのミシン目５０１，５０２が刻設されている。【００６９】  こうして最も効果的な場所である、前面５０から続く上面５９との境や下面５００との境が曲面Ｃを構成し、ここを透して透明包装容器４の中に収めた商品を見ることが出来るのである。
【産業上の利用可能性】
【００７０】  この発明のキャラメル箱型透明包装容器は、それ単独で使用出来るものであるが、台板に取り付けて使用することも可能である。更にこのキャラメル箱型透明包装容器に収める商品を他の商品のおまけとすれば、このキャラメル箱型透明包装容器を他の商品の包装箱などに取り付けるような使用形態も考えられる。この他、この発明のキャラメル箱型透明包装容器をＬＥＤライトなどでライトアップするような使用方法も可能である。
【符号の説明】
【００７１】１      透明包装容器    １０    前面              １１    背面
１２    側面            １３    側面              １４    のりしろ片
１５    上面            １６    下面              １７    フラップ
１８    フラップ
２      台紙            ２０    側縁部            ２１    台紙
２２    側縁部          ２３    台紙              ２４    填め込み孔
２５    支持片          ２６    台紙
３      接着剤          ３０    両面粘着テープ    ３１    両面粘着テープ
３２    両面粘着テープ
４      透明包装容器    ４’    透明包装容器      ４０    前面
４１    背面            ４２    上面              ４３    フラップ
４４    下面            ４５    フラップ          ４６    側面
４７    掛止片          ４８    掛止スリット      ４９    下面
４００  フラップ        ４０１  足部
５      透明包装容器    ５’    透明包装容器      ５０    前面
５１    背面            ５２    側面              ５３    側面
５４    のりしろ片      ５５    上面              ５６    下面
５７    ライン          ５８    ライン            ５９    上面
５００  下面            ５０１  ミシン目          ５０２  ミシン目
６      台紙            ６０    側縁部            ６１    吊り下げ孔
Ｃ      曲面
【図１】
2015127234.tif 000003
【図２】
2015127234.tif 000004
【図３】
2015127234.tif 000005
【図４】
2015127234.tif 000006
【図５】
2015127234.tif 000007
【図６】
2015127234.tif 000008
【図７】
2015127234.tif 000009
【図８】
2015127234.tif 000010
【図９】
2015127234.tif 000011
【図１０】
2015127234.tif 000012
【図１１】
2015127234.tif 000013
【図１２】
2015127234.tif 000014
【図１３】
2015127234.tif 000015
【図１４】
2015127234.tif 000016